(57)【特許請求の範囲】
【請求項１】
エチレングリコール９２〜９７ｗｔ％とエタノール３〜８ｗｔ％との混和液でなるキャンドル用燃焼液。
【請求項２】
エチレングリコール９１〜９６ｗｔ％とメタノール４〜９ｗｔ％との混和液でなるキャンドル用燃焼液。
【請求項３】
エチレングリコール９１〜９６ｗｔ％とアセトン４〜９ｗｔ％との混和液でなるキャンドル用燃焼液。
【請求項４】
火炎色調節剤が混合されている請求項１ないし請求項３のいずれかに記載したキャンドル用燃焼液。
【発明の詳細な説明】
【０００１】
【発明の属する技術分野】
本発明はキャンドル用燃焼液に関する。
【０００２】
【従来の技術】
特開平８−２１２８１７号公報（先行例１）や特開平８−２１２８１８号公報（先行例２）に、ワイングラスやカクテルグラスなどに液体燃焼剤を入れ、燃焼芯によって吸い上げられた液体燃焼剤を燃焼させることによって、レストランやパーティなどでの雰囲気作りに役立たせることができる旨の記載や、液体燃焼剤としてアジピン酸ジオクチル（ＤＯＡ）などを用いることによって、燃焼芯の火炎が引火しなくなって火災に対する安全性を高めることができる旨の記載がある。
【０００３】
特開昭６２−１５８９２４号公報（先行例３）には、金属類や錯体などを有機溶媒に溶かした有色発炎燃料を、ライター、ろうそく、ランタンなどの発炎具に用いることについての記載がある。
【０００４】
特開昭６３−２５８９８７号公報（先行例４）には、着色炎を有する照明用液体燃料に着色炎物質を混入したロウソクについての記載がある。
【０００５】
【発明が解決しようとする課題】
先行例１や先行例２では、液体燃焼剤の種類を選択することによって燃焼芯の火炎が液体燃焼剤に引火しにくくなるようにしているに過ぎないので、使用した液体燃焼剤に特有の性質によって燃焼芯からの火炎の引火性が定まってしまうだけでなく、燃焼芯で生じる火炎の大きさや強さなどの火炎の状態も液体燃焼剤に特有の性質によって定まってしまうので、火災に対する安全性と燃焼芯で生じる火炎による雰囲気作りとの両方を適度なものにすることが困難であるという問題があった。この問題点は、先行例３や先行例４に記載されているような火炎を着色する技術によっては解決することができない。
【０００６】
本発明は、以上の問題点や状況に鑑みてなされたものであり、燃焼芯といった芯材で生じた火炎を、その芯材を浸している燃焼液に引火しにくくしたり漏れた液体に延焼しにくくしたりすることによって火災に対する安全性を高めることが可能であり、しかも、芯材で生じる火炎の大きさや強さがキャンドル用として適度な程度になるキャンドル用燃焼液を提供することを目的とする。
【０００７】
【課題を解決するための手段】
エチレングリコールは引火点が高いため、それを単独でキャンドル用燃焼液として用いると、燃焼力が弱く火炎の大きさが小さくなり、レストランやパーティなどでの雰囲気作りに役立たせるという観点からは物足りなさが生じるのを否めない。そこで、この発明では、エチレングリコールに、エチレングリコールよりも引火性の強い液体を混和させることを基本とし、引火性の強い液体の混和割合に応じて、燃焼液自体の引火性や燃焼液に浸した芯材で生じる火炎の大きさや強さ（燃焼力の強さ）が変化することを利用している。
【０００８】
すなわち、本発明に係るキャンドル用燃焼液は、エチレングリコール９２〜９７ｗｔ％とエタノール３〜８ｗｔ％との混和液でなる。また、別の発明では、エチレングリコール９１〜９６ｗｔ％とメタノール４〜９ｗｔ％との混和液でなる。さらに、別の発明では、エチレングリコール９１〜９６ｗｔ％とアセトン４〜９ｗｔ％との混和液でなる。
【０００９】
これらの各発明に係るキャンドル用燃焼液によると、火炎の大きさや強さがエチレングリコール単独の場合よりも大きくなり、また、芯材を用いた場合にのみ燃焼して火炎を生じるようになり、燃焼液自体に芯材の火炎が延焼するという事態や、漏れた燃焼液に火炎が延焼するという事態が起こらない。したがって、火炎によって満足のいく雰囲気作りが可能になることと併せて、火災に対する安全性を高めることが可能になり、レストランやパーティなどでの雰囲気作りに有益な大きさや強さの火炎を安全に得やすくなる。
【００１０】
本発明のキャンドル用燃焼液では、火炎色調節剤が混合されていてもよい。これによると、火炎色調節剤の種類に応じた色の火炎が得られるようになるので、キャンドルを用いる場所に応じた雰囲気作りをすることが容易になる。
【００１１】
【発明の実施の形態】
本発明の実施形態では、エチレングリコールとエチレングリコールよりも引火性の強い燃焼力調節用液体との混和液を調製し、その混和液をキャンドル用燃焼液とした。燃焼力調節用液体はエタノール、メタノール、アセトンの中から選んだ。そして、エチレングリコールと燃焼力調節用液体との配合割合の異なる混和液が燃焼するか否かを調べる実験を行った。燃焼方法は、不燃性でかつ液体を吸収しない鉄板の上で混和液を入れたキャンドルを倒し、鉄板の上に液漏れがおこった状態で火をつけるという方法を採用しし、延焼の様子を目視で観察した。なお、液体を吸収する紙や布などでは、紙などが芯材のような役割をして延焼を防ぐことができないので、この条件での実験を行わなかった。
【００１２】
各混和液についてのエチレングリコールと燃焼力調節用液体との配合割合や実験の結果を図１〜図３の図面代用図表に示してあり、図１はエチレングリコールとエタノールとの混和液についての実験結果であり、図２はエチレングリコールとメタノールとの混和液についての実験結果であり、図３はエチレングリコールとアセトンとの混和液についての実験結果である。
【００１３】
図１に示したように、混和液の総量に対してエタノール８ｗｔ％以上を含む混和液では、混和液自体が燃焼しやすくなり、キャンドルから漏れた混和液が着火行為によってすぐに燃え拡がる反面で、混和液の総量に対してエタノール７ｗｔ％以下を含む混和液では、混和液自体が燃焼しにくなり、キャンドルから漏れた混和液が着火行為によっても燃え拡がりにくいことが確認された。図２に示したように、混和液の総量に対してメタノール１０ｗｔ％以上を含む混和液では、混和液自体が燃焼しやすくなり、キャンドルから漏れた混和液が着火行為によってすぐに燃え拡がる反面で、混和液の総量に対してメタノール９ｗｔ％以下を含む混和液では、混和液自体が燃焼しにくなり、キャンドルから漏れた混和液が着火行為によっても燃え拡がりにくいことが確認された。図３に示したように、混和液の総量に対してアセトン１０ｗｔ％以上を含む混和液では、混和液自体が燃焼しやすくなり、キャンドルから漏れた混和液が着火行為によってすぐに燃え拡がる反面で、混和液の総量に対してエタノール９ｗｔ％以下を含む混和液では、混和液自体が燃焼しにくなり、キャンドルから漏れた混和液が着火行為によっても燃え拡がりにくいことが確認された。
【００１４】
また、図１〜図３に示したどの混和液についても、エタノール７ｗｔ％以下、メタノール９ｗｔ％以下、アセトン９ｗｔ％以下の配合割合の範囲では、芯材の火炎が燃焼液に延焼したり漏れた燃焼液に火炎が延焼しにくくなり、しかも、その範囲では、火炎の大きさや強さもキャンドルによって雰囲気作りを行う場合に満足のいく程度のものが得られるということが確認された。
【００１５】
このことから、エチレングリコールは引火点が高いためにそれ単独ではキャンドル用燃焼液として使用するには燃焼力が弱く火炎が小さすぎるというエチレングリコール自体の性質が、それよりも引火性の強いエタノール、メタノール、アセトンによって改善されることが判る。したがって、エチレングリコールとそれよりも引火性の強いエタノール、メタノール又はアセトンとを、上記した範囲内で混和してなるキャンドル用燃焼液をキャンドルに用いると、その燃焼液を吸い上げた芯材で生じた火炎が燃焼液に延焼しにくくなって火災に対する安全性が高まり、芯材で生じる火炎の大きさや強さも使用場所の雰囲気作りに適合する程度に調節することができるようになる。
【００１６】
エチレングリコール９０ｍｌとエタノール１０ｍｌとの混和液１〜５を調製し、それらの混和液に、各種の火炎色調節剤を混合した場合の火炎の色を目視によって観察した結果を図４の図面代用図表に示した。また同図の図面代用図表には、混和液３と混和液５とを体積比１：４の割合で混合した混和液６の火炎の色についても併せ示した。図４によると、火炎色調節剤を配合することによって火炎の色が変化することがわかる。
【００１７】
【発明の効果】
以上説明したように、本発明によれば、燃焼芯といった芯材で生じた火炎を、その芯材を浸している燃焼液に引火しにくくして火災に対する安全性を高めるという引火性の調節と、芯材で生じる火炎の大きさや強さの調節とが併せて可能になるキャンドル用燃焼液を提供することが可能になるので、常態使用時や液漏れを生じた際の火災に対する安全性を犠牲にすることなく、キャンドルを使用する場所に応じた演出効果や雰囲気作りが可能になる。
【００１８】
さらに、火炎色調節剤を配合することによって火炎色様々に変化させることも可能である。
【図面の簡単な説明】
【図１】エチレングリコールとエタノールとの混和液についての実験結果を示した図面代用図表である。
【図２】エチレングリコールとメタノールとの混和液についての実験結果を示した図面代用図表である。
【図３】エチレングリコールとアセトンとの混和液についての実験結果を示した図面代用図表である。
【図４】火炎色調節剤を混合した場合の火炎の色を示した図面代用図表である。
【図１】
0004686052.tif 000002
【図２】
0004686052.tif 000003
【図３】
0004686052.tif 000004
【図４】
0004686052.tif 000005